(57)【要約】【課題】着信時に発光を行う携帯電話機の着信イルミネーション構造において、ＬＥＤ発光面が目玉状に見えることを回避し、．かつ十分な混色と高輝度を得、装置の小型化を図る。【解決手段】折畳み式携帯電話機の表示側筐体１０１内部のプリント基板２上に実装され着信信号に応じて発光する側面照射タイプ３色ＬＥＤ１は基板面に沿い矢印Ｃ方向に発光照射する。この光を外部に報知する乳白色レンズ３は、その中心線方向をＬＥＤの照射方向Ｃに対し直角方向に向け配置され、両方向の交わる部分に混色用空間部４が形成される。ＬＥＤ１からの光はやや離れた混色用空間部４で十分に混色され、照射方向と直角方向の乳白色レンズ３を通し外部に出るため、ＬＥＤ発光面が目玉状に見える現象が回避される。ＬＥＤとレンズの高さ方向距離が近いため高輝度であり、表示側筐体１０１の高さ寸法が抑えられる。【選択図】　　　図２
2004147071.tif 000002
【特許請求の範囲】
【請求項１】
着信時に発光を行う携帯電話機の着信イルミネーション構造において、携帯電話機の内部に設けられ着信信号に応じて発光する発光手段と、前記携帯電話機の筐体表面に設けられ前記発光手段からの入射光を筐体外部に出射する光学手段とを備えてなり、前記発光手段はその発光面を前記光学手段の中心線に対し直角方向に向けて配置されていることを特徴とする携帯電話機の着信イルミネーション構造。
【請求項２】
前記発光手段が光の３原色を発光する赤色光と緑色光と青色光の３色のＬＥＤ（発光ダイオード）からなることを特徴とする請求項１記載の携帯電話機の着信イルミネーション構造。
【請求項３】
前記発光手段が側面照射タイプのＬＥＤであることを特徴とする請求項１または２に記載の携帯電話機の着信イルミネーション構造。
【請求項４】
前記発光手段が平面照射タイプのＬＥＤであることを特徴とする請求項１または２に記載の携帯電話機の着信イルミネーション構造。
【請求項５】
前記光学手段が乳白色のレンズであることを特徴とする請求項１記載の携帯電話機の着信イルミネーション構造。
【請求項６】
前記光学手段の中心線方向と前記発光手段の発光面方向とが交わる部分に混色用の空間部を形成したことを特徴とする請求項１または５に記載の携帯電話機の着信イルミネーション構造。
【発明の詳細な説明】
【０００１】
【発明の属する技術分野】
本発明は、携帯電話機の筐体表面に設けられ携帯電話機が着信状態にあることを発光体の点灯によって外部に知らせる携帯電話機の着信イルミネーション構造に関するものである。
【０００２】
【従来の技術】
携帯電話機において、相手方からの電波を受信した着信時に、発光体を点灯させてユーザーに報知するように構成した着信イルミネーション構造がある。
【０００３】
従来、この種の携帯電話機の着信イルミネーション構造における第１の例としては、平面照射タイプの３色のＬＥＤの発光面の前面に乳白色のレンズを配置して着信時に複数色（例えば７色）に発光させる構造がある。
【０００４】
また従来の第２の例としては、平面照射タイプのＬＥＤの発光面の前面に光屈折シートを置き透過窓を通して発光させる構造がある（例えば、特許文献１参照。）。
【０００５】
【特許文献１】
特開２００２−２５２６８７号公報（第２−３頁、図４）
第１の従来例の携帯電話機の着信イルミネーション構造の構成を図４及び図５を参照して説明する。図４（ａ）は第１の従来例の携帯電話機の平面図、図４（ｂ）は図４（ａ）のＢ−Ｂ線における断面図、図５は図４（ｂ）の着信イルミネーション構造の要部を拡大した断面図である。
【０００６】
図４及び図５において、折畳み式の携帯電話機１００は、主に液晶表示部や着信イルミネーション部を有する表示側筐体１０１と、主に操作部を有する本体１０２と、ヒンジ部１０３とを備えてなり、表示側筐体１０１と本体１０２はヒンジ部１０３を回動中心にして互いに折畳み開閉自在となっている。
【０００７】
表示側筐体１０１の内部にはプリント基板２が実装配置され、プリント基板２の折畳み面サイドには各種情報を表示する液晶ディスプレイ７が配備され、またプリント基板２の反対面サイドには平面照射タイプ３色ＬＥＤ１１が実装搭載されている。平面照射タイプのＬＥＤは、プリント基板２に実装し電気的接続を行う電極部とあい対する同方向に光を発光する。
【０００８】
表示側筐体１０１の折畳み面と反対側の表面には、平面照射タイプ３色ＬＥＤ１１にあい対する位置に乳白色レンズ３が設けられ、また乳白色レンズ３をとり囲むように装飾用のエンブレム５及びエンブレム５の中央に２つのコントロールボタン６がそれぞれ配置される。ここで平面照射タイプ３色ＬＥＤ１１と乳白色レンズ３との間には、混色用空間部１２が形成される。なお、乳白色レンズ３はアクリルやポリカーボネート等の樹脂からなり、筐体表面側から見るとブーメラン形状を呈している（図４（ａ）参照）。また２つのコントロールボタン６は、例えば上下２個で音量可変を行えるものとする。
【０００９】
このような構成の第１の従来例の携帯電話機の着信イルミネーション構造において、携帯電話機１０１が着信信号を受信すると、プリント基板２上の平面照射タイプ３色ＬＥＤ１１が点灯して着信を報知する。なお、平面照射タイプ３色ＬＥＤ１１は３色（赤色光、緑色光、青色光）を発光し、各色それぞれオン／オフの組み合わせで最大７色の発光が得られるものとする。平面照射タイプ３色ＬＥＤ１１の点灯による光は、平面照射タイプのためプリント基板２の面に対し垂直方向、即ち図５にて矢印Ｄで示す照射方向に照射し、混色用空間部１２を経て平面照射タイプ３色ＬＥＤ１１の発光面の前面に相当する位置にある乳白色レンズ３にて外部へ発光する。混色用空間部１２は、平面照射タイプ３色ＬＥＤ１１から発光する各色を混色するための空間である。
【００１０】
図６に示す第２の従来例（特開２００２−２５２６８７号公報）の通信端末における着信イルミネーション構造おいては、折畳み式の通信端末の蓋体２１に形成した透過窓２２に対し、プリント基板２３上の平面照射タイプのＬＥＤ２４との間に円弧状をした乳白色の光屈折シート２５を介在させてなり、ＬＥＤ２４からの放射光が光屈折シート２５により略並行に屈折され、透過窓２２に対し略垂直に入射するようにしている。このため、透過窓２２は中心部だけでなく境界部及び上下端部のいずれにおいても均一な照度をもって点灯するものである。
【００１１】
【発明が解決しようとする課題】
上述した従来の携帯電話機の着信イルミネーション構造の第１の例においては、平面照射タイプ３色ＬＥＤの発光面の前面に配置した乳白色レンズを通して点灯を見るので、ＬＥＤの発光面が目玉状に見えてしまったり、あるいは十分な混色が得られないという不具合が生じる。しかし、発光面が目玉状に見えないようにする為及び十分な混色を得ようとする為には、発光面からレンズ面までの距離を長く取る、即ち混色用空間部を大きくする必要あるいはレンズの乳白色を濃くする必要がある。これは筐体の高さ寸法が大となり使用装置全体の小型化に反するという問題が生じ、また距離が長くレンズ色が濃いことから十分な輝度が得られないという問題も生じる。
【００１２】
また特開２００２−２５２６８７号公報における第２の従来例では、透過窓が均一な照度で点灯するので、透過窓中心部で平面照射タイプＬＥＤの発光面が目玉状に見えてしまう現象はある程度回避できるが、透過窓の面積を大きくして点灯表示を見やすくしようとする場合には、ＬＥＤと透過窓との距離を大きく取る必要があるが、これは蓋体の高さ寸法が大となり使用装置全体の小型化に反するという問題及び十分な輝度が得られないという問題につながる。
【００１３】
本発明の目的は、上記従来の問題点を解消し、ＬＥＤの発光面が目玉状に見える現象を回避しつつ十分な輝度及び十分な混色が得られ、かつ使用装置全体の小型化が図れる携帯電話機の着信イルミネーション構造を提供することにある。
【００１４】
【課題を解決するための手段】
本発明の携帯電話機の着信イルミネーション構造は、着信時に発光を行う携帯電話機の着信イルミネーション構造において、携帯電話機の内部に設けられ着信信号に応じて発光する発光手段と、前記携帯電話機の筐体表面に設けられ前記発光手段からの入射光を筐体外部に出射する光学手段とを備えてなり、前記発光手段はその発光面を前記光学手段の中心線に対し直角方向に向けて配置されてなっている。
【００１５】
この携帯電話機の着信イルミネーション構造において、前記発光手段が光の３原色を発光する赤色光と緑色光と青色光の３色のＬＥＤ（発光ダイオード）からなることが好ましい。
【００１６】
さらに前記発光手段が側面照射タイプのＬＥＤであること、もしくは前記発光手段が平面照射タイプのＬＥＤであることが好ましい。
【００１７】
さらにまた前記光学手段が乳白色のレンズであることが好ましい。
【００１８】
さらに前記光学手段の中心線方向と前記発光手段の発光面方向とが交わる部分に混色用の空間部を形成することが好ましい。
【００１９】
【発明の実施の形態】
次に、本発明について図面を参照して説明する。
図１は本発明の第１の実施の形態の携帯電話機の着信イルミネーション構造を示し、同図（ａ）は平面図、同図（ｂ）は同図（ａ）のＡ−Ａ線における断面図
、図２は図１（ｂ）の着信イルミネーション構造の要部を拡大した断面図である。
【００２０】
図１及び図２において、折畳み式の携帯電話機１００は、主に液晶表示部や着信イルミネーション部を有する表示側筐体１０１と、主に操作部を有する本体１０２と、ヒンジ部１０３とを備えてなり、表示側筐体１０１と本体１０２はヒンジ部１０３を回動中心にして互いに折畳み開閉自在となっている。
【００２１】
表示側筐体１０１の内部にはプリント基板２が実装配置され、プリント基板２の折畳み面サイドには各種情報を表示する液晶ディスプレイ７が配備され、またプリント基板２の反対面サイド、即ち表示側筐体１０１の表面に近いサイドには側面照射タイプ３色ＬＥＤ１が実装搭載されている。側面照射タイプのＬＥＤは、プリント基板２に実装し電気的接続を行う電極部に対する垂直方向（図２の矢印Ｃ方向）に光を発光する。また側面照射タイプ３色ＬＥＤ１は３色（赤色光、緑色光、青色光）を発光し、各色それぞれオン／オフの組み合わせで最大７色の発光が得られるものとする。
【００２２】
表示側筐体１０１の折畳み面と反対側の表面には、側面照射タイプ３色ＬＥＤ１からやや離れた位置にあい対する部位に乳白色レンズ３が設けられ、また乳白色レンズ３をとり囲むように装飾用のエンブレム５及びエンブレム５の中央に２つのコントロールボタン６がそれぞれ配置される。ここで、側面照射タイプ３色ＬＥＤ１からやや離れた位置と乳白色レンズ３の中心線方向とが交わる部分には、混色用空間部４が形成される。なお、乳白色レンズ３はアクリルやポリカーボネート等の樹脂からなり、筐体表面側から見るとブーメラン形状を呈している（図１（ａ）参照）。また２つのコントロールボタン６は、例えば上下２個で音量可変を行えるものとする。
【００２３】
このような構成の第１の実施の形態の携帯電話機の着信イルミネーション構造において、携帯電話機１０１が着信信号を受信すると、プリント基板２上の側面照射タイプ３色ＬＥＤ１が点灯して着信を報知する。側面照射タイプ３色ＬＥＤ１の点灯による光は、側面照射タイプのためプリント基板２の面に対し同じ方向、即ち図２にて矢印Ｃで示す照射方向に照射し、混色用空間部４に至る。混色用空間部４は、側面照射タイプ３色ＬＥＤ１から発光する各色を最大７色に混色するための空間である。混色用空間部４にて混色された光は、その直上にある乳白色レンズ３を通して外部へ発光する。
このような構成における側面照射タイプ３色ＬＥＤ１からの光は、乳白色レンズ３の中心線方向に対して９０度の方向に発光したものが乳白色レンズ３を通して外部へ発光するため、ＬＥＤの発光面が外部から目玉状に見えるという現象は生じない。また混色用空間部４が側面照射タイプ３色ＬＥＤ１の発光面からやや離れた位置にあるため、十分な混色が達成される。さらに側面照射タイプ３色ＬＥＤ１と乳白色レンズ３の配置が、表示側筐体１０１の高さ方向の位置関係で言えば近い距離にあるため、十分な輝度の光が乳白色レンズ３に達することができ且つ表示側筐体１０１の高さ寸法を抑えられるので装置全体の小型化に寄与することができる。
次に、本発明の第２の実施の形態について説明する。図３は第２の実施の形態の携帯電話機の着信イルミネーション構造の要部を拡大した断面図である。
第２の実施の形態の構造は、大部分が上述した第１の実施の形態の構造と同様であり、異なっているのは発光手段としてのＬＥＤに平面照射タイプのものを使用する点だけである。従って図１及び図２と同符号の構成品については説明を省略する。
図３に示すように、表示側筐体１０１の内部に配置されたプリント基板２には基板面と垂直な面を有する副基板８が設けられ、この副基板８に平面照射タイプ３色ＬＥＤ１１が実装配置される。平面照射タイプ３色ＬＥＤ１１からの光は、副基板８と電気的接続する電極部とあい対する方向に発光する。従って着信信号を受信して平面照射タイプ３色ＬＥＤ１１が点灯すると、その発光は乳白色レンズ３の中心線方向に対して９０度の方向である矢印Ｃ方向に照射し、混色用空間部４に至る。混色用空間部４にて混色された光は、その直上にある乳白色レンズ３を通して外部へ発光する。即ち、光の経路としては第１の実施の形態の場合と同様となる。
このような第２の実施の形態においては、平面照射タイプのＬＥＤであってもその発光面が外部から目玉状に見えるという現象は生じない。また十分な混色が達成され、十分な輝度が得られ、さらに装置全体の高さ寸法を抑えることができるのは第１の実施の形態と同様である。
【００２４】
【発明の効果】
第１の効果は、ＬＥＤの発光面が外部から目玉状に見えるという現象を回避できることである。その理由は、発光手段に側面照射タイプのＬＥＤを使用し、その発光方向を光学手段である乳白色レンズの中心線方向に対し直角に向けて配置するからである。なお平面照射タイプのＬＥＤを使用する場合においても、発光方向が上記同様となるように実装配置すればよい。
【００２５】
第２の効果は、３色発光のＬＥＤを使用しても十分な混色が達成できることである。その理由は、ＬＥＤの発光方向が上記のごとくであるため、混色用空間部を発光面から離れた位置に形成できるからである。
【００２６】
第３の効果は、高輝度のイルミネーションが得られることである。その理由は、ＬＥＤと乳白色レンズの位置関係を筐体の高さ方向において近い距離にできるため、十分な輝度の光が乳白色レンズに達するからである。
【００２７】
第４の効果は、装置全体の小型化に寄与できることである。その理由は、上記のＬＥＤと乳白色レンズの位置関係から表示側筐体の高さ寸法を抑えることができるため、装置全体の高さを必要以上に高くする必要が無いからである。
【図面の簡単な説明】
【図１】本発明の第１の実施の形態の携帯電話機の着信イルミネーション構造を示し、（ａ）は平面図、（ｂ）は同図（ａ）のＡ−Ａ線における断面図である。
【図２】図１（ｂ）の着信イルミネーション構造の要部を拡大した断面図である。
【図３】本発明の第２の実施の形態の携帯電話機の着信イルミネーション構造の要部を拡大した断面図である。
【図４】第１の従来例の携帯電話機の着信イルミネーション構造を示し、（ａ）は平面図、（ｂ）は同図（ａ）のＢ−Ｂ線における断面図である。
【図５】図４（ｂ）の着信イルミネーション構造の要部を拡大した断面図である。
【図６】第２の従来例の通信端末における着信イルミネーション構造を示す断面図である。
【符号の説明】
１　　側面照射タイプ３色ＬＥＤ
２、２３　　プリント基板
３　　乳白色レンズ
４、１２　　混色用空間部
５　　エンブレム
６　　コントロールボタン
７　　液晶ディスプレイ
８　　副基板
１１　　平面照射タイプ３色ＬＥＤ
２１　　蓋体
２２　　透過窓
２４　　ＬＥＤ
２５　　光屈折シート
１００　　携帯電話機
１０１　　表示側筐体
１０２　　本体
１０３　　ヒンジ部
【図１】
2004147071.tif 000003
【図２】
2004147071.tif 000004
【図３】
2004147071.tif 000005
【図４】
2004147071.tif 000006
【図５】
2004147071.tif 000007
【図６】
2004147071.tif 000008